(57)【要約】【課題】  簡単な構成で脱臭効率を良好に保持し、しかも脱臭領域の表面部分の緑化を行ないつつ、同時に緑化部分を他の目的にも利用し得る埋設浄化部の地上緑化構造を提供する。【解決手段】    地下１００に埋設され悪臭ガスを上昇通過させる礫層１０を含む浄化部１２と、礫層の上面に被着された通気シート１４と、通気シートの上面側に配置される微生物脱臭部１６と、を有する。また、微生物脱臭部１６は、大空隙部２６Ａを形成するように浄化部構造材（１８）に支持された支持基材２６と、上下貫通孔２８を備え微生物生育土３２を該上下貫通孔２８に収容しつつ該微生物生育土３２を上面側から圧縮させないように保持させる多孔剛性構造体３０と、を含む。多孔剛性構造体３０の上下貫通孔２８の表層側に緑化植物３４を生殖させて、悪臭ガスの脱臭と、緑化と、地上面多目的利用を実現する。【選択図】図１
2005334789.tif 000002
【特許請求の範囲】
【請求項１】
地下に埋設され悪臭ガスを上昇通過させる礫層を含む浄化部と、
礫層の上面に被着された通気シートと、
通気シートの上面側に配置される微生物脱臭部と、を有し、
微生物脱臭部は、
大空隙部を形成するように浄化部構造材に支持された支持基材と、
支持基材に支持されて該支持基材上に配置され植物が根を張って活着し得る程度の大きさの上面開口を有する上下貫通孔を備え、微生物生育土を該上下貫通孔に収容しつつ該微生物生育土を上面側から圧縮させないように保持させる多孔剛性構造体と、を含み、
多孔剛性構造体の上下貫通孔の表層側に緑化植物を生殖させたことを特徴とする埋設浄化部の地上緑化構造。
【請求項２】
多孔剛性構造体は、ポーラスコンクリート成形体であることを特徴とする請求項１記載の埋設浄化部の地上緑化構造。
【発明の詳細な説明】
【技術分野】
【０００１】
本発明は、悪臭物質の消臭のための土壌脱臭法における埋設浄化部の地上部分の緑化構造に関する。
【背景技術】
【０００２】
人糞、家畜糞尿、排水、生ゴミ等から発生する臭気は、悪臭防止法によって取締りの対象となっており、特にアンモニア、メチルメルカプタンその他の不快なにおいの原因となり、生活環境を損なうおそれのある物質の発生は厳しく規制されている。従来、このような、臭気原因除去の方法として、例えば臭気ガスを薬剤水溶液に吸収させたり、あるいは化学反応により無臭物質へ変換させる薬剤洗浄方法や、古くから研究されてきた土壌脱臭法などがある。土壌脱臭法では悪臭ガスを含む空気を土壌中に導いて脱臭する方法である。薬剤洗浄方法では、吸着材の吸着容量に制限があり、吸着材から臭気物質を追い出させる脱着操作が必要となる。土壌脱臭法の１つとして、従来、特許文献１（実用新案登録第３０２８１３４号）に示された土壌脱臭装置が提案されている。
【特許文献１】実用新案登録第３０２８１３４号（明細書００１０、００３４，００４０、図１、図３）
【発明の開示】
【発明が解決しようとする課題】
【０００３】
上記特許文献１の土壌脱臭装置では、土壌層を有する脱臭領域へ吸引した悪臭ガスを土壌層の下方から上方へ通過させながら悪臭成分を土壌粒子に吸着させると共に、土壌中の微生物により悪臭成分を分解し、無臭ガスとして土壌表面から大気中へ放出するように構成した土壌脱臭装置において、土壌層の表面に砕石を敷設して砕石層を形成したものが開示されている。しかしながら、この装置では、微生物が着床し生息する土壌層が砕石の重みでしだいに圧縮され、好気性菌の活性を阻害して、好気性菌の分解力による臭気成分の抑制力が小さくなって、効果的な脱臭ができなくなるうえに、処理後のガスの大気放出量が極めて小さくなり、系外排出のための処理のみでは脱臭機能が不十分であった。また、処理後のガスの大気放出が大幅に減少するから微生物による悪臭ガス成分の脱窒、脱硫作用自体も低下し、結局脱臭効率が低下するという問題があった。さらに、芝の手入れ等のメンテナンスが必要という理由でせっかくの緑化部分を狭めるのは地球規模の環境保全のうえで好ましくないものであった。一方、この特許文献１に従来方法として示された土壌層の表面に芝を張って生育させるだけでは、芝を踏み固めて土壌層を締め固めることにより好気性菌の活性を阻害するから、その上面は緑化専用地として単に植物を生育させて緑化すること以外には利用できず、大型の浄化槽等を地下に埋設して脱臭処理するような場合には広大な地上部分面積が全く他の利用に用いることができないという課題があった。
【０００４】
本発明は、上記従来の課題に鑑みてなされたものであり、その１つの目的は、簡単な構成で脱臭効率を良好に保持し、しかも脱臭領域の表面部分の緑化を行ないつつ、同時に緑化部分を他の目的にも利用し得る実用に優れた埋設浄化部の地上緑化構造を提供することにある。
【課題を解決するための手段】
【０００５】
上記の目的を達成するために、本発明は、地下１００に埋設され悪臭ガスを上昇通過させる礫層１０を含む浄化部１２と、礫層の上面に被着された通気シート１４と、通気シートの上面側に配置される微生物脱臭部１６と、を有し、微生物脱臭部１６は、大空隙部２６Ａを形成するように浄化部構造材（１８）に支持された支持基材２６と、支持基材に支持されて該支持基材上に配置され植物３４が根を張って活着し得る程度の大きさの上面開口３６を有する上下貫通孔２８を備え、微生物生育土３２を該上下貫通孔２８に収容しつつ該微生物生育土３２を上面側から圧縮させないように保持させる多孔剛性構造体３０と、を含み、多孔剛性構造体３０の上下貫通孔２８の表層側に緑化植物３４を生殖させたことを特徴とする埋設浄化部の地上緑化構造から構成される。微生物脱臭部１６は、多孔剛性構造体を浄化部構造材の内部に充填する礫層や土壌と無関係に別の支持手段により支持させて微生物棲息用の土壌層を重量負荷で圧縮しないように強度保持しつつ、多孔剛性構造体３０自体を多孔質として微生物生息域とし、緑化と脱臭を同時に実現させる上に、該多孔剛性構造体の上面側を人が通過しうる通路部分や、駐車スペース部分として有効利用しうるようにする。支持基材２６は、支持桁などを井桁状に組み合わせてできるだけ大きな大空隙部を形成しうるものであると良いが、その他、板材、パンチング板、パイプ材、棒材などを浄化部構造材を利用して架設してもよい。浄化部構造材としては、施工現場により種々異なるものを利用し得る。実施形態のように、壁体をそのまま利用して天端面に載置させても良いが、その他浄化部自体に無関係の支持構造物を埋設してそれらにより支持させるものでもよい。土壌層としての微生物生育土は、生育させる植物等を勘案して適した性質の土壌を選択するとよい。多孔剛性構造体３０は、多孔剛性構造体は、ポーラスコンクリート成形体であるとよいが、その他の軽量コンクリート、木毛、木片、発泡コンクリート等で上面からのある程度の重量負荷に耐える強度を保持しうるものを選択しても良い。
【発明の効果】
【０００６】
本発明の埋設浄化部の地上緑化構造は、地下に埋設され悪臭ガスを上昇通過させる礫層を含む浄化部と、礫層の上面に被着された通気シートと、通気シートの上面側に配置される微生物脱臭部と、を有し、微生物脱臭部は、大空隙部を形成するように浄化部構造材に支持された支持基材と、支持基材に支持されて該支持基材上に配置され植物が根を張って活着し得る程度の大きさの上面開口を有する上下貫通孔を備え、微生物生育土を該上下貫通孔に収容しつつ該微生物生育土を上面側から圧縮させないように保持させる多孔剛性構造体と、を含み、多孔剛性構造体の上下貫通孔の表層側に緑化植物を生殖させた構成であるから、簡単な構成で脱臭効率を良好に保持し、しかも脱臭領域の表面部分の緑化を行ないつつ、同時に緑化部分を駐車場や、人の出入りする空間、その他、多目的に地上部分を有効利用しうる。
【０００７】
また、多孔剛性構造体は、ポーラスコンクリート成形体から構成することにより、多孔剛性構造体を低コストで簡単に製造できる。
【発明を実施するための最良の形態】
【０００８】
以下、添付図面を参照しつつ本発明を実施するための最良の形態について説明する。本発明は、悪臭物質の消臭のための土壌脱臭法における埋設浄化部の地上部分の緑化構造であり、十分な脱臭機能と表面緑化とを行ないながら、さらにその表面緑化された地上面側を有効活用しうるようにした構造である。
【０００９】
図１ないし図７は、本発明の一実施形態について説明しており、本実施形態において、生活雑排水や下水処理用の浄化槽設備の地上面の緑化構造に適用された例を示している。本実施形態の埋設浄化部の地上部分の緑化構造（以下、「緑化構造」という。）は、悪臭ガスを上昇通過させる礫層１０を含む浄化部１２と、礫層１０の上面に被着された通気シート１４と、通気シートの上面側に配置される微生物脱臭部１６と、を含む。
【００１０】
浄化部１２は、地下１００に埋設され、浄化部自体に悪臭成分を含む物質が液体、固体、あるいは気体の状態で同浄化部の一部に配置されるか、あるいは他の部分で発生した悪臭を導入し通過させてある程度悪臭成分を吸着除去させる部分であり、実施形態では、浄化部構造材としての四周の縦壁１８内に例えば５０ｍｍ〜３００ｍｍ程度の粒径の石を８乃至９分目程度の嵩容積となるように充填して礫層１０を形成した浄化槽で構成されている。悪臭ガスを発生する処理液１１０は、図示しない側溝、水路、管路などを介して生活、農業、生産設備系から集められて該大型の浄化槽内に導入される。詳細には、浄化槽内の底部寄り位置に上下に連通する空隙２０を有する複数の桟部材２２を架設し、その上面側に礫としての石を充填するとともに、下面側にはエアレーション用の多孔管２４が浄化槽の長手方向にわたって設置されている。多孔管４の孔から空気が処理液内に噴射拡散されて酸素を供給する。本実施形態の浄化槽では、例えば礫層１０の上面寄り部分位置Ｌまで悪臭ガスを発生する処理すべき液体が充填されている。
【００１１】
そして、礫層１０の上面を覆うように通気シート１４が被着されている。通気シート１４は、例えば合成樹脂製の通気性シートであり、その下面側に設置される浄化部１２と、その上面側に設置される微生物脱臭部１６と、を上下に仕切って配置させ、特に、地上面側に近い部分に微生物生育土を配置保持させる。
【００１２】
微生物脱臭部１６は、土壌に棲息する微生物を介して悪臭成分を分解、無臭化し下部から上方の大気に向けて放出させる微生物脱臭手段であり、大空隙部２６Ａを形成するように縦壁１８に支持された支持基材２６と、支持基材上に載置支持され上下貫通孔２８を有する多孔剛性構造体３０と、少なくとも大空隙部２６Ａに配置された微生物生育土３２と、上下貫通孔２８の表層側に生殖される緑化植物３４と、を備えている。
【００１３】
図１、３において、対向する縦壁１８の上端に複数の金属柱材からなる支持基材２６が井桁状に積載されて、それらの井桁の内側に複数の大空隙部２６Ａが形成されている。支持基材２６は、基本的には、微生物を生育させる土壌を圧縮させない態様で多孔剛性構造体３０を支持させる支持手段であり、本実施形態では、該多孔剛性構造体３０の下部あるいは下方にも配置させた土壌層を上からの重量負荷により圧縮されないように保持させる機能をも有する。本実施形態では、支持基材２６は、下平行桁と上平行桁を直交するように２段積層されている。これらの支持基材２６は、浄化部構造材としての縦壁１８の天端面に一部が載せ掛けられて基礎部分の支持基材が支持されている。そして、この大空隙部２６Ａや上下の支持基材との空隙部分に微生物生育土３２が充填される。支持基材２６は、上記のように柱状桁材を大空隙部を形成させるように組み付け積層した構造に限ることなく、例えば、グレーチング板や多孔板、その他を用いてもよく、例えばグレーチング板や多孔板の場合には、各グレーチング孔やパンチング孔の全体集合が大空隙部を形成する。
【００１４】
そして、上部の支持基材２６に支持されて多孔剛性構造体３０が載架支持されている。多孔剛性構造体３０は、芝等の植物３４が根を張って活着し得る程度の大きさの上面開口３６を有する複数の上下貫通孔２８を有し、該上下貫通孔内に微生物を生息させる土壌を充填した状態で上面側から重量負荷を加えても土を押圧して密度変化を生じさせない強度をもつ構造体であり、上下に連通する貫通孔２８を形成しうるように部品を組み付け、接合して製造してもよいが、例えば圧力、熱等を介した成型体で構成すると効率が良い。上面に自動車が乗り入れたりする利用について、自動車のタイヤが嵌り込んでしまわない程度の大きさの開口であるのが望ましい。また、人の出入りの際には、歩行に妨げとならない程度の開口大きさであると良い。
また、この多孔剛性構造体３０は、それ自体が多孔質体であり、独立気泡状の多数孔を有する素材でもよいが、より好ましくは、連続空隙を形成する素材であると良い。多孔構造により、それらの微細孔内に微生物が着床し、生息を確保でき、下部から上昇する悪臭ガス成分を含む有機物質を分解して無臭化ガスを大気放出させる。また、微細孔表面にこれらの有機物質を吸着除去し得る。本実施形態において、多孔剛性構造体として、多数の連続空隙を形成する図２、図３、図５に示すようなポーラスコンクリート成形体が用いられてこれらを実現している。このポーラスコンクリート成型体は、軽量コンクリートに採用される独立気泡成型体としてのコンクリートではなく、通常のコンクリートに比して粗骨材に対する細骨材の割合を極端に低くして２０〜３０％程度の連通空隙率を有する多孔質コンクリートであり、微視的には上下の板面を貫いて自由に物質が移動し得る成型体である。ポーラスコンクリートの無数の孔には好気性の微生物が着床生息し、水路を流れる水中の有機物は二酸化炭素と水に、また、窒素化合物は窒素ガスに分解される。本実施形態の、多孔剛性構造体３０は、例えば５ｃｍ以上程度の厚みの厚板に縦横に同一の間隔で同じ大きさの四角形孔を穿孔して形成されている。
【００１５】
次に、本実施形態の作用について説明すると、例えば図６のような処理液の流路を経由して処理液が浄化槽内に導入される。この際、浄化部１２の生活雑排水や下水等の処理液から発生する悪臭ガスは礫層１０の間隙を通り、通気シート１４を通過してある程度悪臭成分を吸着されながら微生物の生育土３２層に導入される。支持基材２６と多孔剛性構造体３０により保護されて外部からの重量負荷や圧縮力を受けないで十分な粒子間空隙を保持した状態で微生物生育土３２が充填されており、悪臭ガスはこの中を通過するものと、ポーラスコンクリート成型体の内部の多孔空隙を経由するものと、が含まれる。微生物生育土３２中を通過する悪臭ガスは、十分な酸素存在下で活性する微生物の作用により分解されて無臭化される一方、ポーラスコンクリート成型体の内部の多孔空隙に生息する微生物により、分解されて無臭化され、大気に放出される。多孔剛性構造体３０の成形孔の上面開口３６部分に植生した例えば芝は、十分な酸素供給を得て生長し緑化部分を形成すると共に、十分な強度を有する多孔剛性構造体３０の上面側には、例えば図７に示すように、自動車を乗り入れて駐車場としたり、その他、種々の目的に応じて人が出入りしたり、あるいは物を配置する等の利用ができる。よって、従来、単なる緑化専用地である意味では遊休地扱いであった地上スペースを有効に利用し得るものである。
【００１６】
以上説明した本発明の緑化構造は、上記した実施形態のみの構成に限定されるものではなく、特許請求の範囲に記載した発明の本質を逸脱しない範囲において，任意の改変を行ってもよい。
【産業上の利用可能性】
【００１７】
本発明の埋設浄化部の地上緑化構造は、一般生活廃水、農業，工業用排水の浄化槽における地上緑化、有機物質を含む水路、ゴミ集積場、その他の悪臭ガスを発生させる部分の地上緑化全般について有効に適用できる。
【図面の簡単な説明】
【００１８】
【図１】本発明の実施形態に係る埋設浄化部の地上緑化構造の縦断面説明図である。
【図２】図１の埋設浄化部の地上緑化構造の一部切欠拡大斜視説明図である。
【図３】図２の構造のさらに一部を切欠いて示した拡大斜視説明図である。
【図４】図１の一部省略Ａ−Ａ線断面図である。
【図５】多孔剛性構造体の斜視説明図である。
【図６】本実施形態の浄化槽の概略平面図である。
【図７】実施形態に係る埋設浄化部の地上緑化構造の使用例説明図である。
【符号の説明】
【００１９】
１０  礫層
１２  浄化部
１４  通気シート
１６  微生物脱臭部
１８  縦壁（浄化部構造材）
２６  支持基材
２６  ポーラスコンクリート円板
２６Ａ  大空隙部
２８  上下貫通孔
３０  多孔剛性構造体
３２  微生物生育土
３４  緑化植物
３６  上面開口
【図１】
2005334789.tif 000003
【図２】
2005334789.tif 000004
【図３】
2005334789.tif 000005
【図４】
2005334789.tif 000006
【図５】
2005334789.tif 000007
【図６】
2005334789.tif 000008
【図７】
2005334789.tif 000009